(57)【特許請求の範囲】
【請求項１】
鍋を載置するトッププレートと、
前記トッププレートの下に設けられ、前記鍋を加熱する複数の加熱コイルと、
交流電圧を高周波電圧に変換して前記加熱コイルに高周波電流を流す駆動回路と、
所定の電力になるように前記駆動回路を制御する制御回路と、
前記複数の加熱コイルの各々の近傍に設けられた電極と、
前記電極の静電容量を計測する静電容量測定手段と
を備え、
前記静電容量測定手段は、前記加熱コイルの駆動の有無に関わらず、静電容量を測定し、電極に対応した加熱コイルが停止中に静電容量が所定値以上の変化した場合は、隣接した駆動中の加熱コイルにふきこぼれが発生したと判定して、隣接する駆動中の加熱コイルの駆動を停止するか、投入電力を下げることを特徴とする誘導加熱調理器。
【発明の詳細な説明】
【技術分野】
【０００１】
この発明は、加熱コイル周囲に設置された電極と所定電位間の静電容量の変化からふきこぼれを検知する誘導加熱調理器に関するものである。
【背景技術】
【０００２】
従来のふきこぼれを検知する誘導加熱調理器の例として、加熱コイル周囲に設置された電極と所定電位間の静電容量の変化からふきこぼれ発生を判定するものがある（例えば、特許文献１参照）。
【先行技術文献】
【特許文献】
【０００３】
【特許文献１】特開２００８−１５９４９４号公報（第１図）
【発明の概要】
【発明が解決しようとする課題】
【０００４】
従来のふきこぼれを検知する誘導加熱調理器では、加熱コイルから発生する磁束により電極にノイズが重畳され、静電容量検知手段が誤動作する可能性があった。更に、ふきこぼれにより、静電容量式の操作スイッチが誤動作して、ふきこぼれにより加熱停止や投入電力低下状態が解除されてしまう課題があった。
【課題を解決するための手段】
【０００５】
本発明に係る誘導加熱調理器は、鍋を載置するトッププレートと、前記トッププレートの下に設けられ、前記鍋を加熱する複数の加熱コイルと、交流電圧を高周波電圧に変換して前記加熱コイルに高周波電流を流す駆動回路と、所定の電力になるように前記駆動回路を制御する制御回路と、前記複数の加熱コイルの各々の近傍に設けられた電極と、前記電極の静電容量を計測する静電容量測定手段とを備え、前記静電容量測定手段は、前記加熱コイルの駆動の有無に関わらず、静電容量を測定し、電極に対応した加熱コイルが停止中に静電容量が所定値以上の変化した場合は、隣接した駆動中の加熱コイルにふきこぼれが発生したと判定して、隣接する駆動中の加熱コイルの駆動を停止するか、投入電力を下げるものである。
【発明の効果】
【０００６】
少ない電極数で、ふきこぼれの発生の有無、ふきこぼれが発生している加熱口の特定ができるので、コストの安いふきこぼれ検知手段を提供できる。
【図面の簡単な説明】
【０００７】
【図１】実施の形態１を示す誘導加熱調理器の１つの加熱口を示すブロック図。
【図２】実施の形態１を示す誘導加熱調理器の上面図。
【図３】実施の形態１のふきこぼれ判定値を示すグラフ。
【図４】実施の形態２を示す誘導加熱調理器の上面図。
【図５】実施の形態３を示す誘導加熱調理器の上面図。
【図６】実施の形態４を示す誘導加熱調理器の１つの加熱口を示すブロック図。
【発明を実施するための形態】
【０００８】
実施の形態１．
図１は、実施の形態１における複数の加熱口を備えた誘導加熱調理器において１つの加熱口を示すブロック図である。図１において、誘導加熱調理器１は、加熱コイル２と、加熱コイル外周に設置した電極３と、交流電源４の交流電圧を高周波電圧に変換して加熱コイル２を駆動するための駆動回路５と、駆動回路５を制御するための制御回路６と、電極３と所定電位間の静電容量を測定する静電容量測定回路７（静電容量測定手段）とを備えている。トッププレート８の上に、調理器具として鍋９が載置され、静電容量測定回路７は、電極３と所定電位例えばアース電位（以下、ＧＮＤとも呼ぶ）間の静電容量（寄生容量）を計測する。
【０００９】
ふきこぼれが無い状態では、電極３とＧＮＤとの間には主に比誘電率１の空気が存在するが、ふきこぼれが発生すると比誘電率８０の水が入ってくる為、静電容量は急増する。そこで、静電容量が所定時間内に所定値以上変化した場合、または、所定値以上となった場合の有無を調べることで、ふきこぼれの検出が可能になる。静電容量測定回路７は電極３とＧＮＤとの間に交流電圧を印加する。印加した交流電圧は静電容量が大きいと振幅が小さくなり、その振幅の減衰量から静電容量を計測する。
【００１０】
なお、静電容量測定回路７は電極３とＧＮＤとの間の静電容量を計測したが、２つの電極で構成し、その電極間の静電容量を計測しても良い。
【００１１】
図２は、実施の形態１を示す誘導加熱調理器の上面図である。図２において加熱コイル２は２ａ、２ｂ、２ｃの３個の加熱コイルがトッププレート８の下に設置されている。さらに、加熱コイル２ａの近傍には電極３ａが、加熱コイル２ｂの近傍には電極３ｂが、加熱コイル２ｃの近傍には電極３ｃが設置されている。
【００１２】
図３は、ふきこぼれの判定値を示すグラフの一例である。制御回路６には図３に示すグラフが記憶されている。例えば、加熱コイル２ａが駆動中は、加熱コイル２ａへの投入電力に応じて、ふきこぼれの判定値を図３より読み込み、静電容量測定回路７で測定した電極３ａの静電容量が、それ以上であれば、加熱コイル２ａにおいてふきこぼれが発生していると判定して、加熱コイル２ａを停止させるか、投入電力を下げる。同様に、加熱コイル２ｂが駆動中は、２ｂの投入電力に応じて、ふきこぼれの判定値を図３より読み込み、静電容量測定回路７で測定した電極３ｂの静電容量が、それ以上であれば、加熱コイル２ｂにおいてふきこぼれが発生していると判定して、加熱コイル２ｂを停止させるか、投入電力を下げる。
【００１３】
ふきこぼれが発生したと判断した場合は、駆動回路５の動作を停止させるか、または加熱コイル２の投入電力を減らすように駆動回路５を制御することで、無駄な電力を使わずに済み、また、トッププレート８がふきこぼれた内容物で汚れるのを最小限にできる誘導加熱調理器を提供できる。また、加熱コイルから発生する磁束により電極にノイズが重畳され、ふきこぼれが発生しなくても、静電容量検知手段の出力は増加するが、判定値を投入電力に応じてあげることで、投入電力が大きくてもふきこぼれを確実に検知でき、使い勝手の良い誘導加熱調理器を提供できる。
【００１４】
なお、図３においては、低火力時はふきこぼれ判定値が一定だが、これは低火力時はノイズの影響をそれほど考慮しなくても良いためであり、より精度良くふきこぼれを検知するために低火力時からふきこぼれ判定値を上げてもかまわない。
【００１５】
なお、本実施の形態では、投入電力によりふきこぼれ判定値を上げているが、ふきこぼれを所定時間内の静電容量の変化量で検知する場合は、変化量を投入電力に応じて上げることで同様の効果がある。
【００１６】
実施の形態２．
図４は、実施の形態２を示す誘導加熱調理器の上面図である。図４において加熱コイル２ａ、２ｂ、２ｃの３個の加熱コイルがトッププレート８の下に設置されている。さらに、加熱コイル２ａの近傍には電極３ａが、加熱コイル２ｂの近傍には電極３ｂが、加熱コイル２ｃの近傍には電極３ｃが設置されている。１０ａは加熱コイル２ａの操作を行なう静電容量式スイッチ部で、１０ａ１は加熱コイル２ａへの給電を停止する機能を有するスイッチである。同様に１０ｂは加熱コイル２ｂの操作を行なう静電容量式スイッチ部で、１０ｂ１は加熱コイル２ｂへの給電を停止する機能を有するスイッチ、１０ｃは加熱コイル２ｃの操作を行なう静電容量式スイッチ部で、１０ｃ１は加熱コイル２ｃへの給電を停止する機能を有するスイッチである。また、１１は誘導加熱調理器への給電を停止する機能を有するスイッチである。
【００１７】
各加熱コイル近傍に設置された電極３ａ、３ｂ、３ｃの静電容量測定手段を備え、静電容量によりふきこぼれを検知する。検知する方式については、実施の形態１と同じであるため説明を省略する。
【００１８】
静電容量式スイッチ部１０ａ、１０ｂ、１０ｃは、トッププレートに投入電力の増減、タイマー操作などの機能が印字されており、印字部分の静電容量の変化により使用者の指令を検知する検知部（図示せず）を持ち、検知部は、検知結果に基づき制御回路６へ制御信号を伝達し、加熱コイル２ａ、２ｂ、２ｃを制御する。
【００１９】
静電容量により加熱コイル２ａのふきこぼれを検知した場合は、制御回路６は、加熱コイル２ａの操作部である１０ａの操作スイッチのオンオフ状態に関わらず、加熱コイル２ａの投入電力を停止するか、投入電力を下げる。但し、加熱コイル２ａへの給電を停止する機能を有するスイッチ１０ａ１の操作は受け付ける。同様に、加熱コイル２ｃのふきこぼれを検知した場合は、制御回路６は、加熱コイル２ｃの操作部である１０ｃの操作スイッチのオンオフ状態に関わらず、加熱コイル２ｃの投入電力を停止するか、投入電力を下げる。但し、加熱コイル２ｃへの給電を停止する機能を有するスイッチ１０ｃ１の操作は受け付ける。また、誘導加熱調理器への給電を停止する機能を有するスイッチ１１については、ふきこぼれが発生しても操作は受け付ける。
【００２０】
加熱コイル２ａまたは２ｃでふきこぼれを検知した場合は、制御回路６は中央部の加熱コイル２ｂの操作を行なう操作部１０ｂからの投入電力の増やす方向の操作を受け付けない。また、加熱コイル２ａ、２ｂ、２ｃにおいて、ふきこぼれ検知後に制御回路６または操作スイッチにより加熱を停止した後に、再び加熱開始スイッチ操作が行なわれた場合は、ふきこぼれが解消されたと判断して加熱を開始する。
【００２１】
ふきこぼれが発生した場合、ふきこぼれが発生した加熱コイル近傍の静電容量式の操作スイッチが誤動作して、ふきこぼれにより加熱停止や投入電力低下状態が解除され、再びふきこぼれが発生してしまい、ふきこぼれによりトッププレートの汚れが拡大してしまうことを防止できる。また、給電を停止する機能を有するスイッチの操作は受け付けるようにしたので、使用者が加熱コイルを停止させることができるので、使い勝手の良い加熱調理器を提供できる。更に、加熱コイル２ａまたは２ｃでふきこぼれを検知した場合は、中央部の加熱コイル２ｂの操作を行なう操作部１０ｂからの投入電力の増やす方向の操作を受け付けないようにしたので、ふきこぼれによるスイッチの誤動作で、使用者の意図に反して投入電力が増えるのを防止でき安全性が確保できる。
【００２２】
実施の形態３．
図５は、実施の形態３を示す誘導加熱調理器の上面図である。
図５において加熱コイル２ａ、２ｂ、２ｃの３個の加熱コイルがトッププレート８の下に設置されている。さらに、加熱コイル２ａの近傍には電極３ａが、加熱コイル２ｂの近傍には電極３ｂ１と３ｂ２が、加熱コイル２ｃの近傍には電極３ｃが設置されている。各電極の静電容量測定手段を備え、静電容量によりふきこぼれを検知する。検知する方式については、実施の形態１と同じであるため説明を省略する。
【００２３】
制御回路６は、加熱コイル２ｂが停止中で、かつ、加熱コイル２ａを動作中に、加熱コイル近傍に配置した電極３ａがふきこぼれを検知しない場合においても、加熱コイル２ｂの近傍に配置した電極３ｂ１がふきこぼれを検知した場合は、ふきこぼれが加熱コイル２ａの上に配置した鍋によるものと判定して、加熱コイル２ａの動作を停止させるか、投入電力を下げる。同様に、加熱コイル２ｂが停止中で、かつ、加熱コイル２ｃを動作中に、加熱コイル近傍に配置した電極３ｃがふきこぼれを検知しない場合においても、加熱コイル２ｂの近傍に配置した電極３ｂ２がふきこぼれを検知した場合は、ふきこぼれが加熱コイル２ｃの上に配置した鍋によるものと判定して、加熱コイル２ｃの動作を停止させるか、投入電力を下げる。
【００２４】
電極を備えていない側でふきこぼれが発生した場合でも、ふきこぼれの発生の有無、ふきこぼれが発生している加熱口の特定ができるので、コストの安いふきこぼれ検知手段を提供できる。
【００２５】
実施の形態４．
図６は、実施の形態４における複数の加熱口を備えた誘導加熱調理器において１つの加熱口を示す説明図である。図６において、誘導加熱調理器１は、加熱コイル２と、加熱コイル近傍に設置した電極３と、交流電源４の交流電圧を高周波電圧に変換して加熱コイル２を駆動するための駆動回路５と、駆動回路５を制御するための制御回路６と、電極３と所定電位間の静電容量を測定する静電容量測定回路７（静電容量測定手段）とを備えている。トッププレート８の上に、調理器具として鍋９が載置され、静電容量測定回路７は、電極３と所定電位例えばアース電位（以下、ＧＮＤとも呼ぶ）間の静電容量（寄生容量）を計測する。１２は加熱コイル２を保持するコイルベースで、バネ構造１３によりトッププレート８に押し付ける構造となっている。電極３はコイルベース１２の加熱コイルより上側に取り付けられており、また、電極３と静電容量測定回路７とを接続する信号線１４は信号を電気的に伝達する線の周囲を導電性を有する部材で覆ったシールド線により接続されている。
【００２６】
電極の取り付け部を加熱コイルベースとしたことで、安価にトッププレート下に電極を取り付けられる。また、電極とトッププレートの距離が一定に保たれるため、精度良くふきこぼれを検知できる。また、加熱コイルより上の位置に電極を設置することで、測定対象物の液体との距離が近くなり、精度良くふきこぼれを検知できる。
【符号の説明】
【００２７】
１  誘導加熱調理器、２  加熱コイル、３  電極、４  交流電源、５  駆動回路、６  制御回路、７  静電容量測定回路、８  トッププレート、９  鍋、１０  操作部、１１  スイッチ、１２  コイルベース、１３  バネ構造、１４  信号線。
【図１】
0005213992.tif 000002
【図２】
0005213992.tif 000003
【図３】
0005213992.tif 000004
【図４】
0005213992.tif 000005
【図５】
0005213992.tif 000006
【図６】
0005213992.tif 000007